(57)【要約】【課題】車両の標準表示仕様を逸脱することなく車両用表示装置の表示仕様のカスタマイズ自由度を拡大することを目的とする。【解決手段】車両用表示装置１ａにおける表示仕様は、車両１の外部に備えられ、各車両毎の表示装置の標準表示仕様に関する情報が記憶される表示仕様記憶装置２と、車両１の外部に備えられ、車両を特定する特定情報の指定によって指定された当該車両における表示装置の標準表示仕様を表示仕様記憶装置２から入手可能とされ、入手された標準表示仕様に適合するようユーザーによる表示装置１ａの表示仕様のカスタマイズを支援することが可能とされる外部装置２とに基づいて、カスタマイズ可能に構成される。従って、表示装置１ａの表示仕様をカスタマイズする際、外部装置２によって入手された標準表示仕様に適合するよう支援されるため、車両の標準表示仕様を逸脱することなくユーザーによるカスタマイズ自由度を拡大できる。【選択図】　図２
2004042683.tif 000002
【特許請求の範囲】
【請求項１】
車両に備えられ、車両情報が表示されるとともに、その表示仕様がカスタマイズ可能に構成される表示装置を備える車両用表示装置において、
上記表示装置の表示仕様は、
車両の外部に備えられ、各車両毎の表示装置の標準表示仕様に関する情報が記憶される表示仕様記憶装置と、
車両の外部に備えられ、車両を特定する特定情報の指定によって指定された当該車両における表示装置の標準表示仕様を上記表示仕様記憶装置から入手可能に構成されるとともに、入手された標準表示仕様に適合するようユーザーによる上記表示装置の表示仕様のカスタマイズを支援することが可能に構成される外部装置とに基づいて、
カスタマイズ可能に構成されることを特徴とする車両用表示装置。
【請求項２】
上記表示仕様記憶装置には、車両が使用される国の法規制に関連するレギュレーション情報が記憶されるとともに、
上記外部装置は、入手されたレギュレーション情報に適合するようユーザーによる上記表示装置の表示仕様のカスタマイズを支援することが可能に構成されることを特徴とする請求項１記載の車両用表示装置。
【請求項３】
上記外部装置は、上記表示装置に表示される表示項目の内、カスタマイズ不能な表示項目の選択が制限されるよう構成されることを特徴とする請求項２記載の車両用表示装置。
【請求項４】
上記外部装置は、上記表示装置に表示される表示項目の内、非表示可能な表示項目の選択が可能に構成されることを特徴とする請求項２記載の車両用表示装置。
【請求項５】
上記外部装置は、上記表示装置の標準表示仕様における規格を自動的に設定することが可能に構成されることを特徴とする請求項２記載の車両用表示装置。
【請求項６】
上記車両、表示仕様記憶装置及び外部装置の内少なくとも一つには、カスタマイズされたカスタマイズ表示仕様と、入手された標準表示仕様との適合性を判断する判断手段と、
該判断手段により、カスタマイズされたカスタマイズ表示仕様が入手された標準表示仕様に適合することが判別された場合のみ、カスタマイズされたカスタマイズ表示仕様の車両へのインストールを許容するインストール実行手段とが備えられていることを特徴とする請求項１記載の車両用表示装置。
【請求項７】
上記車両、表示仕様記憶装置及び外部装置の内少なくとも一つには、カスタマイズされたカスタマイズ表示仕様と、入手された標準表示仕様との適合性を判断する判断手段と、
該判断手段により、カスタマイズされたカスタマイズ表示仕様が入手された標準表示仕様に適合しないことが判別された場合、カスタマイズされたカスタマイズ表示仕様を補正する補正手段と、
該補正手段により補正されたカスタマイズ表示仕様を車両へインストールするインストール手段とが備えられていることを特徴とする請求項１記載の車両用表示装置。
【請求項８】
上記補正手段は、カスタマイズされたカスタマイズ表示仕様が入手された標準表示仕様に対して表示項目が過剰であると判断された場合、過剰であると判断された表示項目を削除するよう構成されることを特徴とする請求項７記載の車両用表示装置。
【請求項９】
上記補正手段は、カスタマイズされたカスタマイズ表示仕様が入手された標準表示仕様に対して表示項目が不足であると判断された場合、不足であると判断された表示項目を追加するよう構成されることを特徴とする請求項７記載の車両用表示装置。
【請求項１０】
上記補正手段は、カスタマイズされたカスタマイズ表示仕様が入手された車両のレギュレーション情報に対して不適合であると判断された場合、レギュレーション情報に適合するよう不適合と判断された表示項目を補正するよう構成されることを特徴とする請求項７記載の車両用表示装置。
【請求項１１】
上記補正手段は、カスタマイズされたカスタマイズ表示仕様が入手された標準表示仕様の規格に対して不一致であると判断された場合、標準表示仕様の規格に一致するよう不一致と判断された規格を補正するよう構成されることを特徴とする請求項７記載の車両用表示装置。
【請求項１２】
上記補正手段は、カスタマイズされたカスタマイズ表示仕様における表示項目の大きさが入手された標準表示仕様における表示項目の許容可能な大きさよりも大きいと判断された場合、表示項目の大きさを許容可能な大きさに補正するよう構成されることを特徴とする請求項７記載の車両用表示装置。
【請求項１３】
車両用表示装置の表示仕様をカスタマイズするためのカスタマイズ方法であって、
車両を特定する特定情報を指定することによって指定された当該車両の表示装置の標準表示仕様を入手するとともに、
入手された標準表示仕様に適合するようユーザーによるカスタマイズを支援することを特徴とする車両用表示装置のカスタマイズ方法。
【請求項１４】
車両用表示装置の表示仕様をカスタマイズするためのカスタマイズ用制御プログラムであって、
車両を特定する特定情報を指定することによって指定された当該車両の表示装置の標準表示仕様を入手する表示仕様入手ステップと、
該表示仕様入手ステップにより入手された標準表示仕様に適合するようユーザーによるカスタマイズを支援する支援ステップとを備えていることを特徴とする車両用表示装置のカスタマイズ用制御プログラム。
【発明の詳細な説明】
【０００１】
【発明の属する技術分野】
本発明は、車両用表示装置に関し、特に、ユーザーによるカスタマイズが可能な車両用表示装置に関するものである。
【０００２】
【従来の技術】
従来、車両の表示装置においては、車速、エンジン回転数、燃料残量等車両情報を、インストウルメントパネル等に設けられたＣＲＴ等の表示器にデジタル表示することは知られている。
また、表示器における表示項目、表示位置、表示の大きさ等表示方法については、ユーザーの視認性等好みに応じて変更可能にすることが望まれている。
例えば、特開平４−２７３０１６号公報には、表示項目の配置や表示の大きさの異なる複数の車両情報表示モードが予め設定されるとともに、その車両情報表示モードがユーザーによって選択可能とされ、車両情報表示をユーザーの意志によって変更可能にすることが開示されている。
【０００３】
【発明が解決しようとする課題】
しかしながら、上述の先行技術によれば、予め設定されている車両情報表示モードからユーザーの好みに近いモードを選択可能としているだけであるため、ユーザーが望む車両情報表示モードが設定されていない場合があり、必ずしもユーザーの好みを十分に満足できない場合がある。
そこで、表示項目、表示位置、表示の大きさ等個々にカスタマイズ可能に構成し、ユーザーの好みに十分応えられるようカスタマイズの自由度を広げることが考えられる。
しかしながら、表示装置の表示仕様は、国の法規制でその表示に種々の規定がなされており、例えば、ワーニングランプの表示記号（シンボルマーク）や車速計の単位等各国毎にレギュレーションで規定されている。
ところが、このようなレギュレーションを考慮せずに、カスタマイズの自由度が拡大し過ぎると、これらのレギュレーションを満足できない表示仕様にカスタマイズされる懸念がある。
【０００４】
本発明は、以上のような問題に勘案してなされたもので、その目的は、車両の標準表示仕様を逸脱することなく車両用表示装置の表示仕様のカスタマイズ自由度を拡大可能な車両用表示装置を提供することにある。
【０００５】
【課題を解決するための手段】
前記目的を達成するため、本発明にあってはその解決手法として次のようにしてある。すなわち、本発明の第１の構成において、車両に備えられ、車両情報が表示されるとともに、その表示仕様がカスタマイズ可能に構成される表示装置を備える車両用表示装置において、
上記表示装置の表示仕様は、
車両の外部に備えられ、各車両毎の表示装置の標準表示仕様に関する情報が記憶される表示仕様記憶装置と、
車両の外部に備えられ、車両を特定する特定情報の指定によって指定された当該車両における表示装置の標準表示仕様を上記表示仕様記憶装置から入手可能に構成されるとともに、入手された標準表示仕様に適合するようユーザーによる上記表示装置の表示仕様のカスタマイズを支援することが可能に構成される外部装置とに基づいて、カスタマイズ可能に構成してある。
本発明の第１の構成によれば、外部装置によって表示装置の表示仕様をカスタマイズするにあたり、外部装置によって入手された標準表示仕様に適合するよう支援されるため、車両の標準表示仕様を逸脱することなくユーザーによって自由にカスタマイズすることが可能になる。
【０００６】
本発明の第２の構成において、上記表示仕様記憶装置には、車両が使用される国の法規制に関連するレギュレーション情報が記憶されるとともに、
上記外部装置は、入手されたレギュレーション情報に適合するようユーザーによる上記表示装置の表示仕様のカスタマイズを支援することが可能に構成してある。
本発明の第２の構成によれば、外部装置によって表示装置の表示仕様をカスタマイズするにあたり、外部装置によって入手された車両のレギュレーション情報に適合するよう支援されるため、表示仕様に係るレギュレーションを逸脱することなくユーザーによって自由にカスタマイズすることが可能になる。
【０００７】
本発明の第３の構成において、上記外部装置は、上記表示装置に表示される表示項目の内、カスタマイズ不能な表示項目の選択が制限されるよう構成してある。
本発明の第３の構成によれば、少しでもカスタマイズするとレギュレーション違反になる懸念がある表示項目、例えば、ワーニングのシンボルマークは、カスタマイズ不能な表示項目としてその選択が制限されるため、表示仕様に係るレギュレーションからの逸脱が抑制される。
【０００８】
本発明の第４の構成において、上記外部装置は、上記表示装置に表示される表示項目の内、非表示可能な表示項目の選択が可能に構成してある。
本発明の第４の構成によれば、レギュレーションに影響を与えない非表示項目の選択が可能に構成されるため、表示装置における表示スペースが広がり、表示仕様に係るレギュレーションの逸脱を抑制しつつカスタマイズの自由度を向上することができる。
【０００９】
本発明の第５の構成において、上記外部装置は、上記表示装置の標準表示仕様における規格を自動的に設定することが可能に構成してある。
本発明の第５の構成によれば、レギュレーションに係る表示項目の規格が自動的に設定されるため、カスタマイズに伴う表示項目の規格からの逸脱を抑制することができる。
【００１０】
本発明の第６の構成において、上記車両、表示仕様記憶装置及び外部装置の内少なくとも一つには、カスタマイズされたカスタマイズ表示仕様と、入手された標準表示仕様との適合性を判断する判断手段と、
該判断手段により、カスタマイズされたカスタマイズ表示仕様が入手された標準表示仕様に適合することが判断された場合のみ、カスタマイズされたカスタマイズ表示仕様の車両へのインストールを許容するインストール実行手段とが備えられるよう構成してある。
本発明の第６の構成によれば、カスタマイズされたカスタマイズ表示仕様が入手された標準表示仕様に適合する場合のみ車両にインストールされるため、車両の標準表示仕様に適合した表示仕様を表示装置に表示することができる。
【００１１】
本発明の第７の構成において、上記車両、表示仕様記憶装置及び外部装置の内少なくとも一つには、カスタマイズされたカスタマイズ表示仕様と、入手された標準表示仕様との適合性を判断する判断手段と、
該判断手段によりカスタマイズされたカスタマイズ表示仕様が入手された標準表示仕様に適合しないことが判断された場合、カスタマイズされたカスマタイズ表示仕様を補正する補正手段と、
該補正手段により補正されたカスタマイズ表示仕様を車両へインストールするインストール手段とが備えられるよう構成してある。
本発明の第７の構成によれば、カスタマイズされたカスタマイズ表示仕様が入手された標準表示仕様に適合しない場合であっても、標準表示仕様に適合するよう補正された後車両にインストールされるため、標準表示仕様に適合した表示仕様を表示装置に表示することができる。
【００１２】
本発明の第８の構成において、上記補正手段は、カスタマイズされたカスタマイズ表示仕様が入手された標準表示仕様に対して表示項目が過剰であると判断された場合、過剰であると判断された表示項目を削除するよう構成してある。
本発明の第８の構成によれば、カスタマイズされた表示仕様における表示項目が入手された標準表示仕様に対して過剰であることが判断された場合であっても、過剰であると判断された表示項目が削除されるため、標準表示仕様に適合した表示仕様を表示装置に表示することができる。
【００１３】
本発明の第９の構成において、上記補正手段は、カスタマイズされたカスタマイズ表示仕様が入手された標準表示仕様に対して表示項目が不足であると判断された場合、不足であると判断された表示項目を追加するよう構成してある。
本発明の第９の構成によれば、カスタマイズされたカスタマイズ表示仕様における表示項目が入手された標準表示仕様における表示項目に対して不足していることが判断された場合であっても、不足であると判断された表示項目が追加されるため、標準表示仕様に適合した表示仕様を表示装置に表示することができる。
【００１４】
本発明の第１０の構成において、上記補正手段は、カスタマイズされたカスタマイズ表示仕様が入手された車両のレギュレーション情報に対して不適合であると判断された場合、レギュレーション情報に適合するよう不適合と判断された表示項目を補正するよう構成してある。
本発明の第１０の構成によれば、カスタマイズされたカスタマイズ表示仕様が入手された車両のレギュレーション情報に対して不適合であると判断された場合であっても、レギュレーション情報に適合するよう不適合と判断された表示項目が補正されるため、標準表示仕様に適合した表示仕様を表示装置に表示することができる。
【００１５】
本発明の第１１の構成において、上記補正手段は、カスタマイズされたカスタマイズ表示仕様が入手された標準表示仕様の規格に対して不一致であると判断された場合、表示項目の規格仕様に一致するよう不一致と判断された表示項目を補正するよう構成してある。
本発明の第１１の構成によれば、カスタマイズされたカスタマイズ表示仕様が入手された標準表示仕様の規格に対して不一致であると判断された場合であっても、標準表示仕様の規格に一致するよう不一致と判断された規格が補正されるため、標準表示仕様に適合した表示仕様を表示装置に表示することできる。
【００１６】
本発明の第１２の構成において、上記補正手段は、カスタマイズされたカスタマイズ表示仕様における表示項目の大きさが入手された標準表示仕様における表示項目の許容可能な大きさよりも大きいと判断された場合、表示項目の大きさを許容可能な大きさに補正するよう構成してある。
本発明の第１２の構成によれば、カスタマイズされたカスタマイズ表示仕様における表示項目の大きさが入手された標準表示仕様における表示項目の許容可能な大きさよりも大きいと判断された場合であっても、表示項目の大きさが許容可能な大きさに補正されるため、標準表示仕様に適合した表示仕様を表示装置に表示することができる。
【００１７】
本発明の第１３の構成において、車両用表示装置の表示仕様をカスタマイズするためのカスタマイズ方法であって、
車両を特定する特定情報を指定することによって指定された当該車両の表示装置の標準表示仕様を入手するとともに、
入手された標準表示仕様に適合するようユーザーによるカスタマイズを支援するよう構成してある。
本発明の第１３の構成によれば、外部装置によって表示装置の表示仕様のカスタマイズするにあたり、外部装置によって入手された標準表示仕様に適合するよう支援されるため、車両の標準表示仕様を逸脱することなくユーザーによって自由にカスタマイズすることが可能になる。
【００１８】
本発明の第１４の構成において、車両用表示装置の表示仕様をカスタマイズするためのカスタマイズ用制御プログラムであって、
車両を特定する特定情報を指定することによって指定された当該車両の表示装置の標準表示仕様を入手する表示仕様入手ステップと、
該表示仕様入手ステップにより入手された標準表示仕様に適合するようユーザーによるカスタマイズを支援する支援ステップとを備えるよう構成してある。
本発明の第１４の構成によれば、外部装置によって表示装置の表示仕様のカスタマイズするにあたり、外部装置によって入手された標準表示仕様に適合するよう支援されるため、車両の標準表示仕様を逸脱することなくユーザーによって自由にカスタマイズすることが可能になる。
【００１９】
【発明の効果】
本発明によれば、車両の標準表示仕様を逸脱することなく車両用表示装置の表示仕様のカスタマイズ自由度を拡大することができる。
【００２０】
【発明の実施の形態】
以下、本発明の実施の形態を図面に基づいて説明する。
図１は実施形態１〜３に関する全体構成図であり、１は車両、２は情報センター等に配置され、各車両毎に予め設定されている表示装置の標準表示仕様と、各ユーザーによってカスタマイズされた表示装置のカスタマイズ表示仕様とが記憶されている表示仕様記憶装置、３はユーザー等が所有するコンピュータであって、表示装置の表示仕様をカスタマイズ可能に構成される外部装置であり、車両１、表示仕様記憶装置２及び外部装置３の間は、例えば、電話回線や電波通信手段等によって情報の送受信が可能に構成されている。
【００２１】
図２は実施形態１〜３に関する制御ブロック図であり、車両１には、エンジン回転数、車速、燃料、水温等車両情報をデジタル表示するための表示装置１ａと、車体番号等車両を特定する特定情報、当該車両における表示装置１ａの表示仕様等の車両仕様が記憶される車両仕様記憶手段１ｂと、表示仕様記憶装置２によりインストールされた表示仕様が設定される表示仕様設定手段１ｃと、その表示仕様設定手段１ｃにより設定された表示仕様に基づいて表示装置１ａの表示仕様を変更するための表示制御手段１ｄとが備えられている。
また、表示仕様記憶装置２には、各車両の車両仕様記憶手段１ｂからの入手や、情報センターが別途入手した標準表示仕様が各車両毎に記憶される標準表示仕様記憶手段２ａと、各ユーザーによってカスタマイズされたカスタマイズ表示仕様が記憶されるカスタマイズ表示仕様記憶手段２ｂと、カスタマイズされたカスタマイズ表示仕様がインストールしようとする車両の表示装置１ａの標準表示仕様に適合するか否か判断する判断手段２ｃと、その判断手段２ｃにより適合することが判断された場合のみ、カスタマイズされたカスタマイズ表示仕様を車両１の表示仕様設定手段１ｃにインストールするインストール実行手段２ｄとが備えられている。
また、外部装置３には、ユーザーによる車両特定のための特定情報の入力が可能とされる入力手段３ａと、その入力手段３ａに入力された特定情報に基づいて表示仕様記憶装置２の標準表示仕様記憶手段２ａから該当する車両の表示装置１ａの標準表示仕様を入手するための表示仕様入手手段３ｂと、その表示仕様入手手段３ｂから入手された標準表示仕様に適合するようユーザーによる表示仕様のカスタマイズを支援する支援手段３ｃと、その支援手段３ｃによる支援のもとカスタマイズされたカスタマイズ表示仕様をカスタマイズ表示仕様記憶手段２ｂに記憶する記憶手段３ｄとが備えられている。
【００２２】
（実施形態１）
次に、表示仕様のカスタマイズの詳細を説明する。
図３は、実施形態１に関する外部装置３によるカスタマイズの詳細を示す制御フローチャートである。
図３のステップＳ１において、車両を特定する特定情報を入力する。例えば、図４に示すような画面において、車体番号や車種等車両を特定する特定情報を指定する。
続く、ステップＳ２では、指定された車両に対応する標準表示仕様を標準表示仕様記憶手段２ａから読込む。例えば、図５に示すように、指定された車両に対応する表示仕様が読込まれる。尚、この標準表示仕様において、レギュレーション上カスタマイズ不能な表示規格は、予め固定されており、ここでは、水温計の単位、スピードメータの単位及び最高速度、タコメータの最高回転数及びレッドゾーンはカスタマイズ不能なため、予め固定されている。
ステップＳ３では、ステップＳ２で読込まれた標準表示仕様の内、レギュレーション上カスタマイズ可能な表示仕様をカスタマイズする。
ここで、カスタマイズの例を、図５〜図１０に基づいて説明する。
まず、図５中矢印で示すように、カスタマイズ対象をクリック、ここでは、スピードメータをカスタマイズ対象としてクリックする例を示す。
次に、図６に示すように、スピードメータのデザインアイテムの内、カスタマイズしたいデザインアイテムを選択、ここでは、表示フォントを対象として選択する例を示す。
次に、図７に示すように、表示フォントの種類、スタイル、サイズ及び色を、ユーザーの好みに応じたものに選択し、カスタマイズする。
表示フォントのカスタマイズが終了すると、その他カスタマイズしたいデザインアイテムを選択、ここでは、図８に示すように、スピードメータの目盛りについて、刻み幅、サイズ、色をユーザーの好みに応じたものに選択し、カスタマイズする例を示す。
スピードメータの表示フォント、目盛りのカスタマイズが終了し、その他カスタマイズしたいデザインアイテムがない場合、図９で示すようにスピードメータのカスタマイズを完了させ、スピードメータ以外の表示項目についてカスタマイズしたい表示項目がなければ、図１０で示すように最終的なカスタマイズ表示仕様を示す画面においてＯＫをクリックし、カスタマイズを完了する。
続く、ステップＳ４では、上述のようにステップＳ３でカスタマイズされたカスタマイズ表示仕様を表示仕様記憶装置２のカスタマイズ表示仕様記憶手段２ｂに記憶する。
【００２３】
次に、カスタマイズされたカスタマイズ表示仕様の車両１へのインストールの詳細を説明する。
図１１は、インストール手段２ｄにより、カスタマイズされた表示仕様の車両１へのインストールの詳細を示す制御フローチャートである。
図１１のステップＳ１０において、車両を特定する特定情報を入手する。例えば、上述したように、外部装置３の入力手段３ａに入力された車体番号や車種を外部装置３から入手する。
続く、ステップＳ１１において、図１２に示すように、ステップＳ１１において入手した車両の標準表示仕様に適合する表示仕様があるか否かを標準表示仕様記憶手段２ａ、カスタマイズ表示仕様記憶手段２ｂに記憶されている表示仕様の中から照合する。
ステップＳ１２において、入手した車両の標準表示仕様に適合する表示仕様があるか否かが判断される。
ステップＳ１２でＹＥＳと判断された時は、ステップＳ１３において、適合する表示仕様を選択可能な画面が表示される。例えば、図１３、図１４に示されるように車両の標準表示仕様に適合可能な既存の標準表示仕様と、カスタマイズ表示仕様とが表示される。
ステップＳ１４では、図１３、図１４で表示された適合可能な表示仕様の内、ユーザーの好みに応じたカスタマイズ表示仕様を選択、ここでは、図１５に示すように、カスタマイズ表示仕様の内、テクノ改を選択する例を示す。
ステップＳ１５では、ステップＳ１４で選択した表示仕様のインストールを実行するか否か判断する。
ステップＳ１５でＹＥＳと判断された時、ステップＳ１６に進み、ステップＳ１４で選択された表示仕様が車両１の表示仕様設定手段１ｃにインストールされ、ステップＳ１７においてインストール完了メッセージが出力される。
また、ステップＳ１５でＮＯと判断された時、つまり、図１５に示す画面の状態においてキャンセルが選択された時、ステップＳ１８に進み、他の表示仕様を再度読込むか否か判断する。
ステップＳ１８でＹＥＳと判断された時は、ステップＳ１３に戻り、ステップＳ１３以降の処理を繰り返し実行し、ＮＯと判断された時は、本処理を終了する。
また、ステップＳ１２でＮＯと判断された時、ステップＳ１９に進み、図１６に示すような表示仕様不適合の表示を行い、本処理を終了する。
【００２４】
以上のように、実施形態１によれば、表示装置１ａの表示仕様のカスタマイズに際し、車両の標準表示仕様に適合できるようレギュレーションで規定される仕様規格は自動的に設定され、その他の表示デザインアイテムのみカスタマイズ可能となるよう支援されるため、車両の標準表示仕様を逸脱することなく表示仕様のカスタマイズを自由に行うことができる。
また、表示仕様を車両にインストールする際、インストールしようとする車両の標準表示仕様に適合する場合のみ車両にインストールされるため、車両の標準表示仕様の逸脱を抑制できる。
【００２５】
（実施形態２）
実施形態２は、カスタマイズ変形例を示しており、カスタマイズ不能な表示項目に対するカスタマイズを抑制するための変形例を示す。
つまり、実施形態１では、図５に示すようにカスタマイズ不能な表示仕様の規格を予め固定しておくことによってカスタマイズ不能にする例を示した。
これに対し、実施形態２では、図１７に示すように、カスタマイズしたい表示項目を選択する画面において、カスタマイズ不能な表示項目、ここでは、ワーニング（シンボルマーク）をカスタマイズ不能な表示項目として予め選択不能にしている。
従って、実施形態２によれば、カスタマイズ不能な表示項目の選択が制限され、レギュレーションからの逸脱を抑制することができる。
【００２６】
（実施形態３）
実施形態３は、カスタマイズ変形例を示し、カスタマイズする際、非表示可能な表示項目を選択可能とすることによって、カスタマイズ自由度を向上する例を示す。
つまり、図１８に示すように、カスタマイズしたい表示項目の内、表示装置１ａ上において非表示にすることが可能な表示項目を選択可能とし、ここでは、タコメータ、水温計、トリップメータ、時計及び油圧計を非表示可能な表示項目として予め設定している。
従って、実施形態３によれば、非表示可能な表示項目の選択が可能とされるため、表示装置１ａ上における表示スペースが広がり、表示項目の配置レイアウト、表示の大きさの自由度が広がり、カスタマイズ自由度を向上することができる。
【００２７】
（実施形態４）
実施形態４は、表示仕様を車両にインストールする際のインストール変形例を示し、インストールする際に選択されたカスタマイズ表示仕様が標準表示仕様に対して適合しない場合、標準表示仕様に適合するようカスタマイズ表示仕様を補正してインストールする例を示す。
以下、図１９〜図２６に基づいて説明する。
図１９は、実施形態４に関する制御ブロック図であり、実施形態１〜３に対して表示仕様記憶装置２内に、補正手段２ｅが追加されている点で相違し、その他の構成は実施形態１〜３と同様である。
補正手段２ｅは、判断手段２ｃにおいてカスタマイズされたカスタマイズ表示仕様が標準表示仕様に適合しない場合、その適合しないカスタマイズ表示仕様を補正するよう構成されている。
【００２８】
図２０は、実施形態４に関するインストールの詳細を示す制御フローチャートである。
図２０のステップＳ２０では、まず、車両を特定する特定情報を入手する。例えば、上述したように、外部装置３の入力手段３ａに入力された車体番号や車種を外部装置３から入手する。
続く、ステップＳ２１において、インストールしたいカスタマイズ表示仕様を選択する。
ステップＳ２２では、ステップＳ２１で選択されたカスタマイズ表示仕様が、ステップＳ２０において入手した車両の標準表示仕様に適合するか否か照合する。
続く、ステップＳ２３では、ステップＳ２３における照合の結果に基づき、カスタマイズ標準表示仕様が標準表示仕様の全仕様条件に適合するか否か判断する。
ステップＳ２３でＹＥＳと判断された時は、ステップＳ２４に進み、ステップＳ２１で選択されたカスタマイズ表示仕様を車両１の表示仕様設定手段１ｃ
インストールする。
また、ステップＳ２３でＮＯと判断された時は、ステップＳ２５に進み、後述する不適合補正処理を行った後、ステップＳ２４で補正後のカスタマイズ表示仕様をインストールする。
【００２９】
次に、図２１に基づいて図２０中ステップＳ２５における不適合補正の詳細を説明する。
図２１のステップＳ３０において、選択されたカスタマイズ表示仕様における表示項目の内、標準表示仕様に対して過剰になっている表示項目があるか否か判断する。ここでは、図２１に示すように、標準表示仕様に対してタコメータが過剰である例を示しており、タコメータを削除するか否か判断する。
ステップＳ３０でＹＥＳと判断された時、ステップＳ３１に進み、タコメータを削除する。
続く、ステップＳ３２において、選択されたカスタマイズ表示仕様における表示項目の内、標準仕様に対して不足している表示項目があるか否か判断する。ここでは、図２２に示すように、標準仕様に対してタコメータが不足している例を示しており、タコメータを追加するか否か判断する。
ステップＳ３２でＹＥＳと判断された時は、ステップＳ３３に進み、タコメータを追加する。尚、追加されるタコメータは、標準表示仕様のタコメータをそのまま追加する。
続く、ステップＳ３４において、選択されたカスタマイズ表示仕様における表示項目の内、レギュレーションに適合しない表示項目があるか否か判断する。ここでは、図２３に示すように、レギュレーションで規定されるシートベルトワーニング（シンボルマーク）が不適合である例を示しており、シートベルトワーニングを補正するか否か判断される。
ステップＳ３４でＹＥＳと判断された時、ステップＳ３５に進み、シートベルトワーニングをレギュレーションで規定されているシートベルトワーニングに補正する。
続く、ステップＳ３６において、選択されたカスタマイズ表示仕様における表示項目の内、標準表示仕様の規格に適合しない表示項目があるか否か判断する。ここでは、図２４に示すように、水温計の単位が標準仕様の規格に対して不適合である例を示しており、水温計の単位を補正するか否か判断する。
ステップＳ３６でＹＥＳと判断された時、ステップＳ３７に進み、水温計の単位を規格で規定されている単位に補正する。
続く、ステップＳ３８において、選択されたカスタマイズ表示仕様における表示項目の内、表示項目の大きさが標準表示仕様の大きさよりも大きいか否か判断する。ここでは、図２５に示すように、スピードメータの表示の大きさが標準表示仕様における許容可能な大きさよりも大きく設定されている例を示しており、スピードメータの表示の大きさを補正するか否か判断する。
ステップＳ３８でＹＥＳと判断された時、ステップＳ３９に進み、スピードメータの表示の大きさを標準表示仕様における許容可能な大きさにまで縮小される。
また、ステップＳ３８でＮＯと判断された時は、選択されたカスタマイズ表示仕様に問題はないと考えられるため、ステップＳ４０に進み、エラー表示を行う。
【００３０】
以上のように、実施形態４によれば、カスタマイズ表示仕様をインストールする際、カスタマイズ表示仕様が標準表示仕様に適合しない場合、カスタマイズ表示仕様を補正、具体的には、表示項目が過剰である場合は過剰表示項目が削除され、また、表示項目が不足である場合は不足表示項目が追加され、また、レギュレーション不適合である場合はレギュレーションに適合するよう不適合表示項目が補正され、また、表示項目が規格に適合しない場合は規格に適合するよう不適合規格が補正され、表示項目の大きさが許容可能な大きさよりも大きい場合は許容可能な大きさ内に収まるよう表示項目の大きさが補正されるため、カスタマイズ表示仕様を標準表示仕様に適合させることができる。
【００３１】
尚、本実施形態では、カスタマイズ表示仕様が標準表示仕様に適合するか否か判断する判断手段２ｃ及びインストール手段２ｄを表示装置記憶装置２内に備える例を示したが、これらの手段を車両１内に備えるようにしてもよい。
また、本実施形態では、表示仕様のインストールを表示仕様記憶装置２（情報センター等）内のインストール手段２ｄを介して実行する例を示したが、表示仕様を書込んだ持ち運び可能なリムーバブルディスクを車両１の表示制御用ユニットに挿入し、車両１の表示仕様設定手段１ｃにインストールするようにしてもよい。
【図面の簡単な説明】
【図１】実施形態１〜３に関わる全体構成図。
【図２】実施形態１〜３に関わる制御ブロック図。
【図３】実施形態１に関わるカスタマイズ内容を示すフローチャート。
【図４】実施形態１に関わる車種特定画面を示す図。
【図５】実施形態１に関わる標準表示仕様を示す図。
【図６】実施形態１に関わるカスタマイズ画面を示す図。
【図７】実施形態１に関わるカスタマイズ画面を示す図。
【図８】実施形態１に関わるカスタマイズ画面を示す図。
【図９】実施形態１に関わるカスタマイズ画面を示す図。
【図１０】実施形態１に関わるカスタマイズ画面を示す図。
【図１１】実施形態１に関わるインストールの詳細を示すフローチャート。
【図１２】実施形態１に関わる表示仕様照合画面を示す図。
【図１３】実施形態１に関わるインストール表示仕様選択画面を示す図。
【図１４】実施形態１に関わるインストール表示仕様選択画面を示す図。
【図１５】実施形態１に関わる選択表示仕様の適合照合画面を示す図。
【図１６】実施形態１に関わる選択表示仕様の不適合画面を示す図。
【図１７】実施形態２に関わるカスタマイズ選択不能表示画面を示す図。
【図１８】実施形態３に関わる非表示画面を示す図。
【図１９】実施形態４に関わる制御ブロックを示す図。
【図２０】実施形態４に関わるインストールの詳細を示すフローチャート。
【図２１】実施形態４に関わるインストール補正の詳細を示すフローチャート。
【図２２】実施形態４に関わる表示仕様補正画面を示す図。
【図２３】実施形態４に関わる表示仕様補正画面を示す図。
【図２４】実施形態４に関わる表示仕様補正画面を示す図。
【図２５】実施形態４に関わる表示仕様補正画面を示す図。
【図２６】実施形態４に関わる表示仕様補正画面を示す図。
【符号の説明】
１：車両
１ａ：表示装置
２：表示仕様記憶装置
２ａ：標準表示仕様記憶手段
２ｂ：カスタマイズ表示仕様記憶手段
２ｃ：判断手段
２ｄ：インストール手段
２ｅ：補正手段
２０ｄ：適正空気圧記憶手段
３：外部装置
３ｃ：カスタマイズ支援手段
【図１】
2004042683.tif 000003
【図２】
2004042683.tif 000004
【図３】
2004042683.tif 000005
【図４】
2004042683.tif 000006
【図５】
2004042683.tif 000007
【図６】
2004042683.tif 000008
【図７】
2004042683.tif 000009
【図８】
2004042683.tif 000010
【図９】
2004042683.tif 000011
【図１０】
2004042683.tif 000012
【図１１】
2004042683.tif 000013
【図１２】
2004042683.tif 000014
【図１３】
2004042683.tif 000015
【図１４】
2004042683.tif 000016
【図１５】
2004042683.tif 000017
【図１６】
2004042683.tif 000018
【図１７】
2004042683.tif 000019
【図１８】
2004042683.tif 000020
【図１９】
2004042683.tif 000021
【図２０】
2004042683.tif 000022
【図２１】
2004042683.tif 000023
【図２２】
2004042683.tif 000024
【図２３】
2004042683.tif 000025
【図２４】
2004042683.tif 000026
【図２５】
2004042683.tif 000027
【図２６】
2004042683.tif 000028